(57)【要約】      （修正有）【課題】前扉を閉扉していく際に、プラテン軸、その他に加わる最大負荷（衝撃加重）を低減することができる記録装置を提供する。【解決手段】前扉２に備えたプラテンの両端のプラテン軸を前記記録装置本体側に備えた軸受手段で軸承し、この軸受手段は、上面部に、開扉側から閉扉側に向かって漸次上昇していて前記前扉を閉扉していく際に前記プラテン軸の下面側と当接する上向き傾斜面と、このプラテン軸持ち上げ用傾斜面の奥に形成されており前記プラテン軸を受けるプラテン軸受用凹部とを有しており、さらに、前記記録装置本体側には前記軸受手段の上側に可動部材を備えており、この可動部材の下面には、前記上向き傾斜面よりも開扉側に位置して開扉側から閉扉側に向かって漸次下降する下向き傾斜面を前記前扉を閉扉していく際に前記プラテン軸の上面側と当接する。【選択図】      図７
2007076153.tif 000002
【特許請求の範囲】
【請求項１】
下端をヒンジにして上端より外開きに開いて記録装置本体の前面側を開放する前扉を備え、この前扉を閉扉した場合に、前記前扉に備えたプラテンの両端のプラテン軸を前記記録装置本体側に備えたサイドフレームとサーマルヘッドを支持するヘッド支持フレームとの間に保持して、前記サーマルヘッドと前記プラテンとの協働により記録紙に情報を記録する記録装置において、前記ヘッド支持フレームの先端に延長部を延長させて、前記前扉を閉扉する場合に、この延長部に前記プラテン軸を最初に当接させる構成としたことを特徴とする記録装置。
【請求項２】
前記サイドフレームの上面には、奥に向かって漸次上昇していて前記前扉を閉扉していく際に前記プラテン軸の下面側と当接する上向き傾斜面と、このプラテン軸持ち上げ用の傾斜面の奥に形成されて、前記プラテン軸を保持するプラテン軸受用凹部とを有し、前記ヘッド支持フレームの下面には、前記上向き傾斜面よりも手前に位置して前に向かって漸次下降する下向き傾斜面を備える延長部を、前記前扉を閉扉していく際に前記プラテン軸の上面側と当接するように備えていることを特徴とする請求項１記載の記録装置。
【請求項３】
前記延長部が、前記ヘッド支持フレームの両側のリブに形成されていることを特徴とする請求項１または２記載の記録装置。
【請求項４】
前記ヘッド支持フレームが、記録紙を避けて後方位置まで延長されていて、この延長部と前記記録装置本体との間に、前記サーマルヘッドを前記プラテンに押し付ける力を与える付勢手段を備えていることを特徴とする請求項１ないし３のいずれか一項記載の記録装置。
【発明の詳細な説明】
【技術分野】
【０００１】
本発明は、前扉を上端より外開きに開いて記録装置本体を開放してロール紙（記録紙）を収納し前扉を閉扉してプラテンとサーマルヘッドとで記録紙を挟み情報を記録する記録装置に関する。
【背景技術】
【０００２】
従来、前扉を上端より外開きに開いて記録装置本体を開放してロール紙を収納し、前扉を閉扉して前扉に備えたプラテンと記録装置本体に備えたヘッド支持フレームの揺動端に支持されるサーマルヘッドとで協働して記録紙に情報を記録するサーマルプリンタが知られている（特許文献１参照）。
【特許文献１】特開２００４−３０６３５６号公報
【発明の開示】
【発明が解決しようとする課題】
【０００３】
特許文献１に示すような、サーマルプリンタでは、前扉を閉扉する際に、前扉側部分と記録装置本体側部分の当接、摺動、衝撃が少なからず生じる。サーマルプリンタ等の記録装置は精密機械であり、衝撃が加わらないか、衝撃が緩和される構造であることが望ましい。特に、プラテンロールの両端のプラテン軸には高精密が要求されるので、前扉を閉扉する際に、プラテン軸を記録装置本体側に備える軸受手段に軸承される案内する移動過程でプラテン軸に衝撃が加わらないか、衝撃が低減されることが望ましい。
本発明の目的は、上述した事情に鑑みてなされたものであり、前扉を閉扉していく際に、プラテン軸、その他に加わる最大負荷（衝撃加重）を低減することができる記録装置を提供することにある。
【課題を解決するための手段】
【０００４】
上記課題を解決するため、本発明の記録装置は、下端をヒンジにして上端より外開きに開いて記録装置本体の前面側を開放する前扉を備え、この前扉を閉扉した場合に、前記前扉に備えたプラテンの両端のプラテン軸を前記記録装置本体側に備えたサイドフレームとサーマルヘッドを支持するヘッド支持フレームとの間に保持して、前記サーマルヘッドと前記プラテンとの協働により記録紙に情報を記録する記録装置において、前記ヘッド支持フレームの先端に延長部を延長させて、前記前扉を閉扉する場合に、この延長部に前記プラテン軸を最初に当接させる構成としたことを特徴とする。
【０００５】
上記構成によれば、前扉を閉扉していく際に、プラテン軸が最初にヘッド支持フレームの延長部に当たり、サーマルヘッドを支持するヘッド支持フレームを押し上げた後に、ヘッド支持フレームとサイドプレートとの間に保持されるため、前扉を閉扉する際の最大負荷（衝撃加重）を低減することができる。
【０００６】
上記構成において、前記サイドフレームの上面には、奥に向かって漸次上昇していて前記前扉を閉扉していく際に前記プラテン軸の下面側と当接する上向き傾斜面と、このプラテン軸持ち上げ用の傾斜面の奥に形成されて、前記プラテン軸を保持するプラテン軸受用凹部とを有し、前記ヘッド支持フレームの下面には、前記上向き傾斜面よりも手前に位置して前に向かって漸次下降する下向き傾斜面を備える延長部を、前記前扉を閉扉していく際に前記プラテン軸の上面側と当接するように備えていることが好ましい。
【０００７】
上記構成にすると、前扉を閉扉していく際には、プラテン軸の上面側が、最初に、前記ヘッド支持フレームの下面に備えた延長部の下向き傾斜面に当接する。従って、プラテン軸が下向き傾斜面に楔作用を生起してヘッド支持フレームを押し上げていく。次いで、プラテン軸の下面側が、記録装置本体に備える上向き傾斜面に当接し楔作用を生起してプラテン軸が押し上げられて、ヘッド支持フレームを押し上げていくことになる。プラテン軸が上向き傾斜面を乗り越えると、プラテン軸はプラテン軸受用凹部に受けられることになる。すると、サーマルヘッドがプラテンの上に記録紙を挟んでサーマルヘッドが密着する。従って、プラテン軸が上側の下向き傾斜面と上向き傾斜面に順次に当接して記録装置本体側に備えた軸受手段で支持されるので、前扉を閉扉していく際に、プラテン軸、ヘッド支持フレームの延長部、及び軸受手段に加わる最大負荷（衝撃加重）を低減することができる。
【０００８】
上記構成において、前記延長部が、前記ヘッド支持フレームの両側のリブに形成することができる。この構成にすると、前扉を開扉していく際、及び前扉を閉扉していく際のいずれにおいても、プラテン軸の挙動でサーマルヘッドをプラテンに対して密着・離間させることの機構が単純化する。
【０００９】
上記構成において、前記ヘッド支持フレームが、記録紙を避けて後方位置まで延長されていて、この延長部と前記記録装置本体との間に、前記サーマルヘッドを前記プラテンに押し付ける力を与える付勢手段を備えていることが好ましい。
この構成にすると、前扉を閉扉したときにプラテン軸の一方が浮き上がっている状態になり、この状態で記録が行われるときでも、サーマルヘッドがプラテンに傾きに合わせて全長に渡り均一な圧力で押圧することになるので良好な記録が行える。
【発明の効果】
【００１０】
本発明によれば、前扉を閉扉していく際に、プラテン軸が最初にヘッド支持フレームの延長部に当たり、サーマルヘッドを支持するヘッド支持フレームを押し上げた後に、ヘッド支持フレームとサイドプレートとの間に保持されるため、前扉を閉扉する際の最大負荷（衝撃加重）を低減することができる。
【発明を実施するための最良の形態】
【００１１】
以下、図面を参照して本発明の一実施形態について説明する。
図１は、本発明に係る記録装置の一実施形態が適用されたサーマルプリンタの外観を示す斜視図である。図２は、サーマルプリンタの外観を形成しているメインケース（外装カバー）１が被される記録機構部３３を示す斜視図である。図３は、記録機構部３３の縦断側面図を示す。
図４は、記録機構部３３の扉フレーム１１を開いた状態を示す斜視図である。
【００１２】
図１に示すサーマルプリンタ１００は、図３に示すように、プラテン１７の上にロール状の感熱紙（以下、ロール紙とする。）Ｐを通し、図４に示すように、扉フレーム１１を上端より外開きに開いて記録機構部（記録装置本体）３３を開放してロール紙を収納するようになっているとともに、扉フレーム１１を閉扉して扉フレーム１１に備えたプラテン１７と記録機構部３３の本体側に備えたサーマルヘッド１９とでロール紙Ｐを挟んで圧着し、制御装置（図示しない）から供給される電気信号によりサーマルヘッド１９が発熱しかつプラテン１７が回転走査することによりロール紙Ｐに文字や画像等の情報を記録する記録装置である。
【００１３】
このサーマルプリンタ１００は、扉フレーム１１を閉扉すると、扉フレーム１１に備えたプラテン１７の両端のプラテン軸１５を記録機構部３３の本体フレームに備えた軸受手段３５で軸承するようになっている。この軸受手段３５は、上面部に、開扉側から閉扉側に向かって漸次上昇していて前記前扉を閉扉していく際に前記プラテン軸の下面側と当接する上向き傾斜面３５ａと、このプラテン軸持ち上げ用傾斜面の奥に形成されており前記プラテン軸を受けるプラテン軸受用凹部３５ｂとを有している。さらに、ヘッド支持フレーム２０の両側に備えたリブ２０ｄの下面には、前記上向き傾斜面よりも開扉側に位置して開扉側から閉扉側に向かって漸次下降する下向き傾斜面３６ａを扉フレーム１１を閉扉していく際にプラテン軸１５の上面側と当接するように備えていることを特徴とする。以下、さらに詳述する。
【００１４】
図１に示すように、サーマルプリンタ１００の外観を構成しているメインケース１は、前面の一部、背面、左右面、上面を覆う略箱形に形成されている。このサーマルプリンタ１００のメインケース１で覆われない前面部分は、フロントカバー（前扉）２で覆われていている。
【００１５】
このサーマルプリンタ１００は、前面右端に、ロール紙を送り出すときに操作される紙送りボタン６、このサーマルプリンタ１００の動作状態を報知するインジケータ５、このサーマルプリンタ１００の電源をＯＮ／ＯＦＦする電源スイッチ４及びロール紙を装填する際等にフロントカバー２のロック（図示しない）を開放するレバー３等を備えている。
【００１６】
このサーマルプリンタ１００は、メインケース１が被される、図２に示す記録機構部３３を備えている。この記録機構部３３は、両側に対向配置される左サイドフレーム８と右サイドフレーム９との間に、上フレーム７とリアフレーム１０と扉フレーム１１とを掛け渡すように組み付けてなる箱形の本体フレームを備えている。
【００１７】
扉フレーム１１は、両側下端をヒンジ１４，１４により左サイドフレーム８と右サイドフレーム９とに回転可能に設けられており、フロントカバー２を開放する際には、図４に示すように、扉フレーム１１がヒンジ１４を支点にして上端より外開きに開閉できるようになっている。この扉フレーム１１の外面部に前記フロントカバー（前扉）２が一体に固定されていて、フロントカバー２を開くと、扉フレーム１１が一体に開いて記録機構部３３の内部を開放してロール紙（図示しない）を装填できるようになっている。
【００１８】
記録機構部３３は、図３に示すように、左サイドフレーム８と右サイドフレーム９との間に掛け渡して組み付けたロール紙ホルダ１８を備えている。このロール紙ホルダ１８は、記録機構部３３の後面下部に対応して円筒内面の略四分の一の円筒面部を有し、この円筒面部の下端より水平に延びる床面部前端が記録機構部３３の前面側に近い位置に延び、またこの円筒面部の上端より垂直上方へ延びる背面部上端が記録機構部３３の高さ寸法の中程まで延びていて、前記箱形の本体フレームの床面を覆っているとともに、リアフレーム１０の内側にオーバーラップしている。
【００１９】
このロール紙ホルダ１８は、記録機構部３３の内部に装填されるロール紙を円滑に回転できるように受ける役目を果たす。記録機構部３３の内部に装填されるロール紙は、ロール紙ホルダ１８の底面部と背面部と扉フレーム１１とで三方から支えられて円滑に回転できるように構成されている。
【００２０】
扉フレーム１１は、外面（フロントカバー２に対向する面）に、可動刃１３を内蔵するオートカッタユニット１２を備えている。この可動刃１３は、この実施形態では、一端を回転可能に取り付けられ他端をリンクとモータとで揺動される構成である。ロール紙を切断する際には、オートカッタユニット１２が駆動され可動刃１３が上方へ揺動するように構成されている。オートカッタユニット１２の上方には、上フレーム７の下側近傍に位置して左サイドフレーム８と右サイドフレーム９とに両端を固定された固定刃支持フレーム３０の先端に支持される固定刃１６を備えている。
【００２１】
フロントカバー２の上端と、メインケース１の上面前端との間に、ロール紙Ｐを排出する排紙口３２を備えている。ロール紙Ｐは、サーマルヘッド１９とプラテン１７との間に通され排紙口３２へ導かれるようになっている。フロントカバー２（図１）を開くと、扉フレーム１１が一体に開かれて、オートカッタユニット１２とプラテン１７は、扉フレーム１１に配置されているため、扉フレーム１１と共に前方に開かれる。これにより、可動刃１３及びプラテン１７と、固定刃１６及びサーマルヘッド１９との間の間隔が遠ざかり、記録機構部３３の内部にロール紙を装填することができる。
ロール紙をロール紙ホルダ１８に収納し、ロール紙の端部を排紙口３２から少し引き出してフロントカバー２を閉じると、扉フレーム１１が一体に閉じて、図３に示すように、ロール紙が、プラテン１７とサーマルヘッド１９との間、及び可動刃１３と固定刃１６との間に挟み込まれる。
【００２２】
サーマルヘッド１９とプラテン１７とが協働してロール紙Ｐに文字や画像等の情報を記録し、プラテン１７の回転走査により例えばロール紙ＰのＡ４の大きさに情報が記録された部分が排紙口３２へ排出され移送停止すると、固定刃１６とオートカッタユニット１２の可動刃１３とが共同してロール紙Ｐをカットするようになっている。
【００２３】
記録機構部３３は、扉フレーム１１に備えたプラテン１７と、上フレーム７の下面近傍に装着されたヘッドフレーム３４に支持されていて前記プラテン１７の上に通されるロール紙Ｐを挟んで前記プラテン１７の上に圧着して走査されかつ発熱するサーマルヘッド１９とで協働してロール紙Ｐに情報を記録するように構成されている。
サーマルヘッド１９は、下面にライン状に複数の発熱抵抗体を備えている。
【００２４】
図４に示すように、プラテン１７は、両端のプラテン軸１５を、扉フレーム１１の両側端に備えたリブ１１ａに設けたプラテン軸用昇降ガイド（Ｕ字スリット）３７に受けられ持ち上がり可能である構成である。このプラテン１７は、ロール紙Ｐの搬送手段を兼ねるようになっている。
【００２５】
サーマルヘッド１９は、図３、図４、図５に示すように、ヘッドフレーム３４に後端を支持された前端支持されている。ヘッドフレーム３４は、ヘッド支持フレーム２０とばね支持フレーム２１とを組み合わせてなるヘッドフレーム３４に支持されている。ヘッド支持フレーム２０は、前面部２０ａと、この前面部２０ａよりも低い後面部２０ｂと、前面部２０ａと後面部２０ｂを一体に繋いでいる垂直部２０ｃとからなる形状である。ばね支持フレーム２１は、水平部２１ａと、この水平部２１ａの後端より一体に垂下する垂直部２１ｂとからなる概略アングル形状である。ヘッド支持フレーム２０の後面部の下面と、ばね支持フレーム２１の水平部の上面とが重ねられビスねじ３４ａで連結されている。そして、ばね支持フレーム２１は、垂直部２１ａにばね係止部２５を備えていて、この係止部２５と上部フレーム７の後端部に設けたばね係止部２６とに引っ張りコイルばね２７が所定の大きさの引っ張り力を生起するように取り付けられている。開扉されたときに、ヘッド支持フレーム２０の前面部２０ａの下面が左サイドフレーム８と右サイドフレーム９の内面に突設されたストッパ３８に当接するようになっていて、もって、サーマルヘッド１９の下降が制限されている。引っ張りコイルばね２７が記録機構部３３の後面上部に設けることにより、ヘッド支持フレーム２０と上フレーム７との距離が小さくて済むので、高さを小さく抑えることができるのである。
【００２６】
ヘッド支持フレーム２０は、前面部２０ａの両端に一体に垂下するリブ２０ｄを有し、このリブ２０ｄの後端に縦長の長孔２４が開けられていて、この長孔２４に通される軸２３が左サイドフレーム８と右サイドフレーム９とに両端を固定されている。そして、ばね支持フレーム２１の先端の幅方向中央部の上面に突条部２２が形成されている。突条部２２は軸２３に対して略直角であり点接触となるように外れることなく当接している。そうして、ばね支持フレーム２１が持ち上がると、この突条部２２が軸２３の長さ方向中央の下面に当接するようになっているとともに、ヘッド支持フレーム２０の前面部２０ａの下面後部と軸２３の隙間が例えば１ｍｍ〜３ｍｍ開くようになっている。
【００２７】
従って、ヘッド支持フレーム２０は、軸２３に対して僅かに上下動自在であるとともに、軸２３を回転中心として揺動自在であり、引っ張りコイルばね２７の付勢によって、サーマルヘッド１９を所定の圧力でプラテン１７に圧着するようになっている。プラテン１７が片側に傾くとき、これに対応してヘッド支持フレーム２０も傾いて、サーマルヘッド１９を全長に渡り均一な圧力で密着しうるように構成されている。
【００２８】
サーマルヘッド１９には、後方側に隣接して、このサーマルヘッド１９を制御するヘッドドライバ２９と、ケーブルを介してヘッドドライバ２９を制御基板（図示せず）に接続するためのヘッドコネクタ２８と設けられている。
【００２９】
図６乃至図８に示すように、この実施形態のサーマルプリンタ１００は、扉フレーム１１を閉扉すると、扉フレーム１１に備えたプラテン１７の両端のプラテン軸１５を、左サイドフレーム８と右サイドフレーム９の各の前端上部にブラケット上に一体に張り出して形成された軸受手段３５で軸承されるようになっている。
【００３０】
図６に示すように、この軸受手段３５は、上面部に、開扉側から閉扉側に向かって漸次上昇していて前記前扉を閉扉していく際に前記プラテン軸の下面側と当接する上向き傾斜面３５ａと、このプラテン軸持ち上げ用傾斜面の奥に形成されており前記プラテン軸１７を受けるプラテン軸受用凹部３５ｂとを有している。
【００３１】
さらに、サーマルヘッド１９を支持するヘッド支持フレーム２０の両側に備えたリブ２０ｄの延長部３６には、下面に、前記上向き傾斜面３５ａよりも開扉側にずれて位置して開扉側から閉扉側に向かって漸次下降する下向き傾斜面３６ａを備えている。この下向き傾斜面３６ａは、扉フレーム１１を閉扉していく際にプラテン軸１５の上面側と当接するようになっている。
【００３２】
さらに、ヘッド支持フレーム２０の両側に備えたリブ２０ｄの下面には、下向き傾斜面３６ａの奥に、前記上向き傾斜面３５ａと対向する位置に、前記プラテン軸の上面側と略水平に当接する水平当接部３６ｂを備え、さらに、この水平当接部３６ｂの奥に、開扉側から閉扉側に向かって漸次上昇する第２下向き傾斜面３６ｃを備え、この第２下向き傾斜面３５ｃが、前記プラテン軸１５が前記軸受手段の上向き傾斜面３６ａを乗り越えた位置に対応して、前記プラテン軸１５の上面側に対して非接触となる逃げ凹部３６ｄの一側面を形成している。
【００３３】
そして、リブ２０ｄは、逃げ凹部３６ｄでプラテン軸１５を上から非接触で抱え込んでプラテン軸１５の軸受手段３５からの脱出を防止している。従って、この実施形態では、扉フレーム１１を閉扉した状態のロック機構を、プラテン軸１５と軸受手段３５とリブ２０ｄとが兼ねている。
【００３４】
従って、図６に示すように、扉フレーム１１を開扉した状態では、リブ２０ｄがストッパ３８に当接し、リブ２０ｄに設けた下向き傾斜面３６ａと、軸受手段３５の上向き傾斜面３５ａとの隙間がプラテン軸１５の直径よりも小さくなっていて、下向き傾斜面３６ａが上向き傾斜面３５ａよりも前側にずれて位置している。
【００３５】
図４に示す扉フレーム１１を閉扉していく際には、図７に示すように、プラテン軸１５の上面側が、下向き傾斜面３６ａに当接してこのプラテン軸１５が下向き傾斜面３６ａを押し上げるようになっており、次いで、前記プラテン軸１５の下面側が、上向き傾斜面３５ａに当接してこのプラテン軸１５が押し上げられるようになっており、プラテン軸１５が、上向き傾斜面３５ａを乗り越えてプラテン軸受用凹部３５ｂに受けられると、図８に示すように、前記サーマルヘッド１９が引っ張りコイルばね２７の付勢によりロール紙Ｐを挟んで前記プラテン１７の上に密着するようになっている。
【００３６】
すなわち、プラテン軸１５は、下向き傾斜面３６ａと上向き傾斜面３５ａに対して二段階に当接するので、プラテン軸１５と下向き傾斜面３６ａと上向き傾斜面３５ａを介して各部に伝わる衝撃力が小さく抑えられるから、高精密な機構を備えた記録装置に好ましい閉扉機構となる。
【００３７】
以上、一実施形態に基づいて本発明を説明したが、本発明は、これに限定されるものではない。例えば、上記実施形態では、軸受手段３５を左右のフレームに一体に形成したが、別部材のブラケットを左右のフレームに取り付けても良い。また、上記実施形態では、プラテン１７は、扉フレーム１１に持ち上がり可能に設けられていれば良い。上記実施形態では、メインケース１と、記録機構部３３を構成する箱形の本体フレームとに分離形成されていて、フロントカバー（前扉）２が扉フレーム１１に設けられているが、前扉を上端より外開きに開いて記録装置本体を開放してロール紙を収納するようになっているとともに、前記前扉を閉扉して前記前扉に備えたプラテンと前記記録装置本体側に備えたサーマルヘッドとで協働して記録紙に情報を記録する構成の記録装置にも広く適用される。
【図面の簡単な説明】
【００３８】
【図１】本発明の一実施形態に係る記録装置の外観を示す斜視図である。
【図２】記録機構部の斜視図である。
【図３】記録装置の縦断側面図である。
【図４】扉フレームを開扉した状態の記録機構部の斜視図である。
【図５】プラテンとヘッドフレームを下側から見た斜視図である。
【図６】開扉状態の記録装置の要部縦断側面図である。
【図７】閉扉途中の記録装置の要部縦断側面図である。
【図８】閉扉状態の記録装置の要部縦断側面図である。
【符号の説明】
【００３９】
１…メインケース（外装カバー）、２…フロントカバー（前扉）、２０ｄ…リブ、２４…ベースフレーム、２４ａ…ベースフレーム開口部（開口）、１１…扉フレーム、１５…プラテン軸、２７…付勢手段、３２…排紙口、３３…記録機構部、３４…ヘッドフレーム、３５…軸受手段、３５ａ…上向き傾斜面、３５ｂ…プラテン軸受用凹部、３６…延長部、３６ａ…下向き傾斜面、１００…サーマルプリンタ（記録装置）。
【図１】
2007076153.tif 000003
【図２】
2007076153.tif 000004
【図３】
2007076153.tif 000005
【図４】
2007076153.tif 000006
【図５】
2007076153.tif 000007
【図６】
2007076153.tif 000008
【図７】
2007076153.tif 000009
【図８】
2007076153.tif 000010